(57)【特許請求の範囲】
【請求項１】
人の足の形を模して作った足型の上部に係止され、足型の外周面に履かせられた靴下を視認することができるように、その周囲に少なくともズボンの裾部分を被せられるズボン固定部である筒体又は柱状体を形成された、靴下の展示用具。
【請求項２】
人の足の形を模して作った足型の上部において、外側に間隔をあけて足型の周囲に少なくともズボンの裾部分を被せられるズボン固定部である筒部又は柱状体を形成され、
前記筒部又は柱状体は、その下部より下方において足型の外周面に履かせられた靴下を視認することができるように形成された、靴下の展示用具。
【請求項３】
筒部又は筒体は、その下端の近傍においてズボンの裾部分が足型の足首部分又は足のすね部分の中心軸線と９０度又はそれに近い角度で固定されるように構成された、請求項１又は請求項２に記載の靴下の展示用具。
【請求項４】
前記筒体は、筒体の中に、足型のすね部分に係止される係止部を突き出し設けられ、
前記係止部により足型に係止された筒体は、足型の周囲を包み込み、その外周に固定されたズボンが足型のすねの周囲を覆うように構成された、請求項１に記載の靴下の展示用具。
【請求項５】
前記筒体は、板紙を筒状に丸めて形成され、
筒状の板紙の一部分を内側に向けて折り曲げて、又は筒状の板紙の内面に係止片を固定されて、足型に係止するための係止部を形成された、請求項４に記載の靴下の展示用具。
【請求項６】
前記足型は、爪先立つ形状であって、足首より上のすね部分が、前方に傾斜され、
前記筒体の中心軸線又は筒部の中心軸線は、前記足型のすねののびる方向と平行にのびるように足型に設けられた、請求項１ないし請求項５のいずれかに記載の靴下の展示用具。
【請求項７】
人の足の形を模して作った両足の足型の外周面に履かせられた靴下を視認することができるように、一方の足型の周囲に少なくともズボンの裾部分を被せられる筒体を形成され、一方の足型の筒体のみズボンの裾で覆われた、靴下の展示用具を用いた展示方法。
【請求項８】
人の足の形を模して作った両足の足型の外周面に履かせられた靴下を視認することができるように、一方の足型の周囲に少なくともズボンの裾部分を被せられる筒部を形成され、一方の足型の筒部のみズボンの裾で覆われた、靴下の展示用具を用いた展示方法。
【発明の詳細な説明】
【技術分野】
【０００１】
本発明は、靴下の展示用具及びそれを用いた展示方法に関し、特に、例えば、靴下等を販売する店舗等において靴下等を展示するための靴下の展示用具及びそれを用いた展示方法に関する。
【背景技術】
【０００２】
従来、靴下の販売等を目的とする靴下の売場の展示において、購入者に、実際に靴下等を身体に着用した場合にどのように見えるかを見せるために考えられた靴下等の展示方式がある。
【先行技術文献】
【特許文献】
【０００３】
【特許文献１】特開２００７−０４４１５０号公報
【発明の概要】
【発明が解決しようとする課題】
【０００４】
ところが、特許文献１の靴下等の展示方式は、靴下等の展示物を装着した脚型をほぼＵ字形の支持部を有する支持体によって上下方向に支持する場合、靴下等を見ることができるが、ズボンとの調和等を確認することができないという問題がある。
【０００５】
そこで、本発明の主たる目的は、靴下を中心に視認することができるとともに、ズボンとの調和を確認することができる靴下の展示用具及びそれを用いた展示方法を提供することである。
【課題を解決するための手段】
【０００６】
この発明の請求項１にかかる靴下の展示用具は、人の足の形を模して作った足型の上部に係止され、足型の外周面に履かせられた靴下を視認することができるように、その周囲に少なくともズボンの裾部分を被せられるズボン固定部である筒体又は柱状体を形成された、靴下の展示用具である。
この発明の請求項２にかかる靴下の展示用具は、人の足の形を模して作った足型の上部において、外側に間隔をあけて足型の周囲に少なくともズボンの裾部分を被せられるズボン固定部である筒部又は柱状体を形成され、前記筒部又は柱状体は、その下部より下方において足型の外周面に履かせられた靴下を視認することができるように形成された、靴下の展示用具である。
この発明の請求項３にかかる靴下の展示用具においては、筒部又は筒体は、その下端の近傍においてズボンの裾部分が足型の足首部分又は足のすね部分の中心軸線と９０度又はそれに近い角度で固定されるように構成された、請求項１又は請求項２に記載の靴下の展示用具である。
この発明の請求項４にかかる靴下の展示用具においては、前記筒体は、筒体の中に、足型のすね部分に係止される係止部を突き出し設けられ、前記係止部により足型に係止された筒体は、足型の周囲を包み込み、その外周に固定されたズボンが足型のすねの周囲を覆うように構成された、請求項１に記載の靴下の展示用具である。
この発明の請求項５にかかる靴下の展示用具においては、前記筒体は、板紙を筒状に丸めて形成され、筒状の板紙の一部分を内側に向けて折り曲げて、又は筒状の板紙の内面に係止片を固定されて、足型に係止するための係止部を形成された、請求項４に記載の靴下の展示用具である。
この発明の請求項６にかかる靴下の展示用具においては、前記足型は、爪先立つ形状であって、足首より上のすね部分が、前方に傾斜され、前記筒体の中心軸線又は筒部の中心軸線は、前記足型のすねののびる方向と平行にのびるように足型に設けられた、請求項１ないし請求項５のいずれかに記載の靴下の展示用具である。
この発明の請求項７にかかる靴下の展示用具を用いた展示方法は、人の足の形を模して作った両足の足型の外周面に履かせられた靴下を視認することができるように、一方の足型の周囲に少なくともズボンの裾部分を被せられる筒体を形成され、一方の足型の筒体のみズボンの裾で覆われた、靴下の展示用具を用いた展示方法である。
この発明の請求項８にかかる靴下の展示用具を用いた展示方法は、人の足の形を模して作った両足の足型の外周面に履かせられた靴下を視認することができるように、一方の足型の周囲に少なくともズボンの裾部分を被せられる筒部を形成され、一方の足型の筒部のみズボンの裾で覆われた、靴下の展示用具を用いた展示方法である。
【発明の効果】
【０００７】
請求項１の発明によれば、人の足の形を模して作った足型の上部に係止され、足型の外周面に履かせられた靴下を視認することができるように、その周囲に少なくともズボンの裾部分を被せられるズボン固定部である筒体又は柱状体を形成されているので、靴下を中心に視認することができるとともに、ズボンとの調和を確認することができる。
請求項２の発明によれば、人の足の形を模して作った足型の上部において、外側に間隔をあけて足型の周囲に少なくともズボンの裾部分を被せられるズボン固定部である筒部又は柱状体を形成され、前記筒部又は柱状体は、その下部より下方において足型の外周面に履かせられた靴下を視認することができるように形成されているので、靴下を中心に視認することができるとともに、ズボンとの調和を確認することができる。
請求項３の発明によれば、前記筒部及び筒体は、その下端の近傍においてズボンの裾部分が足型の足首部分又は足のすね部分の中心軸線と９０度又はそれに近い角度で固定されるように構成されているので、美しくズボンを見せて、靴下の調和を確認させることができる。
請求項４の発明によれば、前記筒体は、筒体の中に、足型のすね部分に係止される係止部を突き出し設けられ、前記係止部により足型に係止された筒体は、足型の周囲を包み込み、その外周に固定されたズボンが足型のすねの周囲を覆うように構成されているので、美しくズボンを見せて、靴下の調和を確認させることができる。
請求項５の発明によれば、前記筒体は、板紙を筒状に丸めて形成され、筒状の板紙の一部分を内側に向けて折り曲げて、又は筒状の板紙の内面に係止片を固定されて、足型に係止するための係止部を形成されているので、比較的容易に展示用具を製造することができる。
請求項６の発明によれば、前記足型は、爪先立つ形状であって、足首より上のすね部分が、前方に傾斜され、前記筒体の中心軸線又は筒部の中心軸線は、前記足型のすねののびる方向と平行にのびるように足型に設けられているので、美しくズボンを見せて、靴下の調和を確認させることができる。
請求項７の発明によれば、人の足の形を模して作った両足の足型の外周面に履かせられた靴下を視認することができるように、一方の足型の周囲に少なくともズボンの裾部分を被せられる筒体を形成され、一方の足型の筒体のみズボンの裾で覆われているので、靴下を中心に視認することができるとともに、ズボンとの調和を確認することができる。
請求項８の発明によれば、人の足の形を模して作った両足の足型の外周面に履かせられた靴下を視認することができるように、一方の足型の周囲に少なくともズボンの裾部分を被せられる筒部を形成され、一方の足型の筒部のみズボンの裾で覆われているので、靴下を中心に視認することができるとともに、ズボンとの調和を確認することができる。
【０００８】
この発明の上述の目的、その他の目的、特徴及び利点は、図面を参照して行う以下の発明を実施するための形態の説明から一層明らかとなろう。
【図面の簡単な説明】
【０００９】
【図１】この発明の一実施の形態である展示用具の斜視図解図である。
【図２】図１図示展示用具の斜視図解図である。
【図３】図１図示展示用具を用いた展示方法を示す斜視図解図である。
【図４】図１図示展示用具を用いた展示方法を示す斜視図解図である。
【図５】図１図示展示用具を構成する筒体の斜視図解図である。
【図６】図１図示展示用具を構成する筒体の材料を示す斜視図解図である。
【図７】この発明の一実施の形態である展示用具の斜視図解図である。
【図８】この発明の一実施の形態である展示用具の斜視図解図である。
【図９Ａ】図１図示展示用具の変形例の斜視図解図である。
【図９Ｂ】図１図示展示用具の変形例の平面図解図である。
【図１０Ａ】図１図示展示用具の変形例の斜視図解図である。
【図１０Ｂ】図１図示展示用具の変形例の平面図解図である。
【図１１Ａ】図１図示展示用具の変形例の斜視図解図である。
【図１１Ｂ】図１図示展示用具の変形例の平面図解図である。
【図１２Ａ】図１図示展示用具の変形例の斜視図解図である。
【図１２Ｂ】図１図示展示用具の変形例の斜視図解図である。
【図１３】図１図示展示用具の変形例の斜視図解図である。
【図１４】図１図示展示用具の変形例の斜視図解図である。
【図１５】図１図示展示用具の変形例の斜視図解図である。
【図１６Ａ】図１図示展示用具の変形例の斜視図解図である。
【図１６Ｂ】図１図示展示用具の変形例の平面図解図である。
【図１７】図１５図示展示用具を構成する筒体の材料を示す斜視図解図である。
【図１８】図１図示展示用具を用いた展示方法を示す斜視図解図である。
【発明を実施するための形態】
【００１０】
この発明にかかる靴下の展示用具１０は、人の足の形を模して作った右足の足型１２及び左足の足型１４のうち一方の足型１２の上部に係止される筒体２０を備える。
筒体２０は、ズボン１８の裾部分１８ａを固定するズボン固定部を構成する。
【００１１】
一方の足型１２は、足首部分１２ａと、足首部分１２ａの上部に連設されたすね部分１２ｂを有する。
すね部分１２ｂは、ひざ関節より下方で切断された、上端部１２ｃを備える。
他方の足型１４は、足首部分１４ａと、足首部分１４ａの上部に連設されたすね部分１４ｂを有する。
すね部分１４ｂは、ひざ関節より下方で切断された、上端部１４ｃを備える。
【００１２】
筒体２０は、一方の足型１２の外周面に履かせられた靴下１６を視認することができるように、その周囲にズボン１８の裾部分１８ａを被せられる、断面三日月形の筒状体である三日月体３０を備える。
【００１３】
前記筒体２０は、足型１２の足首部分１２ａ又は足のすね部分１２ｂの中心軸線１２Ｌと９０度又はそれに近い角度で固定されるように、三日月体３０の中に、足型１２の上端部１２ｃに係止される係止部２２を突き出し設けられている。
中心軸線１２Ｌは、足首部分１２ａからすね部分１２ｂ及びふくらはぎ部分１２ｄの中心において上下方向にのびる中心線をいう。
【００１４】
前記筒体２０は、図６に示すような台形又は方形の板紙３８を筒状に丸めて、その両端を接着して三日月体３０を形成されている。
板紙３８は、直線状の上端縁３８ａと、その上端縁３８ａと平行な直線状の下端縁３８ｂと、上端縁３８ａ及び下端縁３８ｂと斜交する左端縁３８ｃ及び右端縁３８ｄとを有する。
板紙３８は、幅方向における中央に形成される、すね側折り目形成線３８ｅにより、左右に分かれており、左側に長軸面４０を形成され、且つ右側に長軸面５０を形成される。
すね側折り目形成線３８ｅは、上端縁３８ａと下端縁３８ｂと直交している。
板紙３８は、左端縁３８ｃの近傍にふくらはぎ側折り目形成線３８ｆを形成されており、ふくらはぎ側折り目形成線３８ｆより外側の領域にのり代３８ｇを形成している。ふくらはぎ側折り目形成線３８ｆは、上端縁３８ａと下端縁３８ｂと略９２〜９４度の角度をもって斜交している。
板紙３８は、右端縁３８ｄの近傍に、のり代３８ｈを形成している。
板紙３８は、すね側折り目形成線３８ｅで内側に向けて折り曲げられ、且つふくらはぎ側折り目形成線３８ｆで内側に向けて折り曲げられ、のり代３８ｇの外側面とのり代３８ｈの内側面とを重ね合わせて接着される。
而して、板紙３８は、前方にすね側折り目形成線３８ｅが形成され、後方にふくらはぎ側折り目形成線３８ｆを形成された、断面三日月形の筒状体を形成する。すね側折り目形成線３８ｅは、三日月体３０の中心軸線２０Ｌと平行である。
【００１５】
そして、筒状の三日月体３０の内面に係止片３２を架け渡されて、筒体２０を足型１２に係止するための係止部２２を形成されている。
この実施の形態においては、図１ないし図５に示す筒体２０を構成する断面三日月形の三日月体３０の長軸３４Ｌに沿ってのびる、一方の長軸面４０及び他方の長軸面５０に、それぞれ舌状の係止片３２が形成されている。
一方の係止片３２及び他方の係止片３２は、対向する一方の長軸面４０及び他方の長軸面５０に、一対の舌状の第１連結片４２及び舌状の第２連結片５２によって形成される。対向する第１連結片４２と第２連結片５２とは三日月体３０の内側面に折曲され、且つ第１連結片４２と第２連結片５２とは係合されて、第１連結片４２と第２連結片５２とが長軸面４０と長軸面５０との間に架け渡される。而して、一対の係止片３２によって、係止部２２を形成されている。
【００１６】
第１連結片４２は、長軸面４０の中央に穿設された半円弧状の第１スリット４４に囲繞された領域に形成されている。長軸面４０の第１スリット４４は、下向きにのびる半円弧状である。
第２連結片５２は、長軸面５０の中央に穿設された半円弧状の第２スリット５４に囲繞された領域に形成されている。長軸面５０の第２スリット５４は、下向きにのびる半円弧状である。
第１連結片４２と第２連結片５２とは、略々同じ形状であり、長軸面４０及び長軸面５０に形成される位置も略々同じ位置に形成されており、長軸面４０と長軸面５０とを対向させたとき、第１連結片４２と第２連結片５２とは対向する。
長軸面４０の第１スリット４４の一方の（右側の）上端部４４ｄと第１スリット４４の他方の（左側の）上端部４４ｅとの間において、長軸３４Ｌののびる方向（径方向）にのびる折り曲げ線４６を形成され、また、長軸面５０の第２スリット５４の一方の（右側の）上端部５４ｄと第２スリット５４の他方の（左側の）上端部５４ｅとの間において、径方向にのびる折り曲げ線５６を形成されている。長軸面４０の折り曲げ線４６及び長軸面５０の折り曲げ線５６は略々直線であり、三日月体３０の中心軸線２０Ｌに直交する方向で、上端縁３８ａ及び／又は下端縁３８ｂと平行に形成されている。
そして、折り曲げ線４６及び折り曲げ線５６によって、第１連結片４２及び第２連結片５２は、内側に折り曲げられて、長軸面４０の第１連結片４２と長軸面５０の第２連結片５２とは平面状であって、それぞれその表面又は裏面で重ね合わされて係合される。
長軸面４０の第１連結片４２は、第１スリット４４より内側にのびる係合細孔４８が穿設されている。第１連結片４２の係合細孔４８は、三日月体３０の中心軸線２０Ｌに直交する方向に形成されている。
長軸面５０の第２連結片５２は、第２スリット５４より内側にのびる係合細孔５８が穿設されている。第２連結片５２の係合細孔５８は、三日月体３０の中心軸線２０Ｌに直交する方向に形成されている。
第１連結片４２の係合細孔４８と第２連結片５２の係合細孔５８とは、長軸面４０の第１連結片４２と長軸面５０の第２連結片５２とにおいて、反対方向にのびている。
そして、第１連結片４２と第２連結片５２とが三日月体３０の内側において重ね合わされた状態において、第１連結片４２の係合細孔４８と第２連結片５２の係合細孔５８とは、互いに差し入れられて、長軸面４０の第１連結片４２と長軸面５０の第２連結片５２とを連結して、三日月体３０の内側において架け渡されて、係止部２２を構成する。
而して、第１連結片４２と第２連結片５２とが係合されてなる係止片３２は、平面状であって、足型１２の上端部１２ｃの平面状係止面に接し合わされ、筒体２０は足型１２に係止されて固定される。
【００１７】
前記足型１２は、爪先部分１２ｅが接地した爪先立つ形状であって、足首部分１２ａより上のすね部分１２ｂが、前方に傾斜されており、前記筒体２０の中心軸線２０Ｌは、前記足型１２のすね部分１２ｂののびる方向と平行にのびるように足型１２に設けられている。
【００１８】
前記係止部２２により足型１２の上端部１２ｃに係止された筒体２０は、足型１２の足首部分１２ａの周囲を覆うように形成されている。
筒体２０の外周に固定されたズボン１８は、足型１２のすね部分１２ｂ及びふくらはぎ部分１２ｄの周囲を覆うように構成されている。
この実施の形態においては、筒体２０は、上方に向かうに従ってやや太くなる断面三日月形の三日月体３０であり、三日月の長軸３４Ｌが、足型１２のすね部分１２ｂとふくらはぎ部分１２ｄとにのびるように構成されている。
ズボン１８は、裾部分１８ａからすね及びふくらはぎ部分を覆う長さに形成されたズボン１８の足の一部分である。ズボン１８は、すね及びふくらはぎ部分の上端縁１８ｂにおいて、筒体２０の上端縁３８ａの内側に折り曲げられて、固定される。
【００１９】
前記筒体２０は、その下端の近傍においてズボン１８の裾部分１８ａが足型１２の足首部分１２ａ又は足のすね部分１２ｂの中心軸線１２Ｌと９０度又はそれに近い角度で固定されるように構成されている。
この実施の形態においては、筒体２０のすね側折り目形成線３８ｅが、足型１２の足首部分１２ａ又は足のすね部分１２ｂの中心軸線１２Ｌと略々平行であって、筒体２０の下端縁３８ｂが、足型１２の足首部分１２ａ又は足のすね部分１２ｂの中心軸線１２Ｌと９０度又はそれに近い角度で固定される。
【００２０】
筒体２０の材質としては、例えば、柔軟性を有する、板紙、塩化ビニル及びポリエステル等の合成樹脂シート又は板状体等が挙げられるが、これに限定されない。要は、ズボン１８の一部分を支えることができるような強度があればよい。
【００２１】
次に、別の靴下の展示用具１１０について、主として図７及び図８に基づいて、説明する。
この展示用具１１０は、人の足の形を模して作った足型１１２及び足型１１４のうち、一方の足型１１２の外側に連続して設けられ、足型１１２との間に間隔をあけて足型１１２の周囲に形成された筒部１２０を備える。
【００２２】
足型１１２及び足型１１４は、足首部分１１２ａ，足首部分１１４ａと、足首部分１１２ａ及び足首部分１１４ａの上部に連設されたすね部分１１２ｂ及びすね部分１１４ｂとを有する。
すね部分１１２ｂ及びすね部分１１４ｂは、ひざ関節より下方で切断された上端部１１２ｃ及び上端部１１４ｃを備える。
【００２３】
筒部１２０は、足型１１２の上端部１１２ｃより外方に向けて突設された連設部１２２に連設されている。
連設部１２２は、足型１１２の上端部１１２ｃよりつば状に突設され、その外周端より下方に向けて、筒部１２０が垂設され、筒部１２０が足型１１２を包み込むように構成されている。
筒部１２０は、連設部１２２の外周縁より上方に向けて、筒部１２０が穿設され、ズボン１１８のすね及びふくらはぎ部分の上端縁１１８ｂの領域を、筒部１２０の上端縁の内側に向けて折り曲げて固定される。
【００２４】
前記足型１１２は、爪先部分１１２ｅで爪先立つ形状であって、足首部分１１２ａより上のすね部分１１２ｂが、前方に傾斜されている。
前記筒部１２０の中心軸線１２０Ｌは、前記足型１１２のすね部分１１２ｂののびる方向と平行にのびるように足型１１２に設けられている。
【００２５】
前記筒部１２０は、上方に向かうに従ってやや太くなるように構成され、その下端の近傍においてズボン１１８の裾が足型１１２の足首部分１１２ａ又は足のすね部分１１２ｂの中心軸線１１２Ｌと９０度又はそれに近い角度で固定されるように構成されている。
【００２６】
また、図のものは、筒状の筒部１２０にズボン１１８を被せ、足型１１２に靴下１１６を履かせた状態にしており、この足型１１２が店内の壁面に設けたこの陳列品等の商品を収納している棚に載って支持されている。
こうした棚が無い場合には壁面から突出する板や棒で下方から支えるようにすることもよい。
この陳列は上記した壁面部分で行う他に、床面に立てたスタンドや柱等の間に架け渡して展示することもできる。
【００２７】
筒体２０は、前記実施の形態の構造に限定されず、この発明の思想に基づき、種々変更することができる。
例えば、ズボン１８の裾部分１８ａを固定するズボン固定部を構成する筒体２０は柱状体であってもよい。ズボン１１８の裾部分１１８ａを固定するズボン固定部を構成する筒部１２０は、柱状物であってもよい。三日月体３０は、断面楕円形の楕円体であってもよい。
ズボン１８の裾部分１８ａより上部であってすね及びふくらはぎ部分のズボン１８の一部分を、ズボン１８を履いた状態に保型される形状であれば、その他の構造でもよい。
【００２８】
第１連結片４２及び第２連結片５２は、図９において示すように、三日月体３０の一方の長軸面４０及び三日月体３０の他方の長軸面５０のそれぞれに複数個形成してもよい。
一方の第１連結片４２は、長軸面４０の幅方向に並列された第１の舌状片４２ａと第３の舌状片４２ｂとを備え、もう一方の第２連結片５２は、長軸面５０の幅方向に並列された第２の舌状片５２ａと第４の舌状片５２ｂとを備えている。
長軸面４０の第１の舌状片４２ａと長軸面５０の第２の舌状片５２ａとが対向し、長軸面５０の第３の舌状片４２ｂと長軸面５０の第４の舌状片５２ｂとが対向する。
第１の舌状片４２ａと第２の舌状片５２ａとが係合され、第３の舌状片４２ｂと第４の舌状片５２ｂとが係合される。
第１の舌状片４２ａの第１の係合細孔４８ａと第２の舌状片５２ａの第２の係合細孔５８ａとが差し込まれ、第３の舌状片４２ｂの第３の係合細孔４８ｂと第４の舌状片５２ｂの第４の係合細孔５８ｂとが差し込まれる。
而して、第１連結片４２と第２連結片５２とによって、係止部２２が形成される。
【００２９】
第１連結片４２及び第２連結片５２は、図１０Ａ及び図１０Ｂにおいて示すように、正面視半月型等、三日月体３０の一方の長軸面４０と他方の長軸面５０との間において架け渡される形状であれば、その他の形状でもよい。
又、折り曲げ線４６，折り曲げ線４６ａ，折り曲げ線４６ｂ，折り曲げ線５６，折り曲げ線５６ａ及び折り曲げ線５６ｂは、三日月体３０を構成する長軸面４０及び長軸面５０のわん曲率に対応して、直線ではなく円弧状線としてもよい。そして、折り曲げ線４６，折り曲げ線４６ａ，折り曲げ線４６ｂ，折り曲げ線５６，折り曲げ線５６ａ及び折り曲げ線５６ｂによって第１連結片４２及び第２連結片５２を折り曲げられてなる係止片３２は、平面状になるようにするとよい。なお、折り曲げ線４６，折り曲げ線４６ａ，折り曲げ線４６ｂ，折り曲げ線５６，折り曲げ線５６ａ及び折り曲げ線５６ｂは、第１連結片４２及び第２連結片５２の膨らむ方向とは反対側に向けて膨らむ形状とする。
【００３０】
第１連結片４２及び第２連結片５２は、図１１Ａ及び図１１Ｂに示すように、三日月体３０の下端縁から上方に向けて穿設された、平行な２条の第１スリット４４及び第２スリット５４に囲繞された領域に形成されてもよい。
第１スリット４４及び第２スリット５４は、板紙３８の下端縁３８ｂより、上方に向けてのびる。
第１スリット４４は長軸面４０に形成され、第２スリット５４は長軸面５０に形成されており、第１スリット４４と第２スリット５４とは、長軸面４０と長軸面５０とを対向させたときに、対向するように形成されている。
第１連結片４２及び第２連結片５２は、２条の一方の（右側の）第１スリット４４の上端部４４ｄと他方の（左側の）第１スリット４４の上端部４４ｅとの間及び一方の（右側の）第２スリット５４の上端部５４ｄと他方の（左側の）第２スリット５４の上端部５４ｅとの間において、三日月体３０の長軸３４Ｌの方向にのびる折り曲げ線４６及び折り曲げ線５６を形成されている。そして、折り曲げ線４６及び折り曲げ線５６によって、第１連結片４２及び第２連結片５２は、内側に向けて折り曲げられて、第１連結片４２と第２連結片５２とを係合され互いに接着されて、三日月体３０の内側に架け渡される。
折り曲げ線４６及び折り曲げ線５６は、筒体２０の中心軸線２０Ｌに交差する方向に形成されている。
【００３１】
第１連結片４２及び第２連結片５２は、図１２Ａ及び図１２Ｂにおいて示すように、その形状を変更した複数個の正面視方形の連結片を形成してもよい。
方形の第１連結片４２と方形の第２連結片５２とは、筒体２０の中心軸線２０Ｌに交差するように、一方の長軸面４０及び他方の長軸面５０に、それぞれ形成されている。
【００３２】
方形の第１連結片４２を構成するための第１スリット４４の上端において、折り曲げ線４６を形成されている。第２連結片５２を構成するための第２スリット５４の上端において、折り曲げ線５６を形成されている。そして、折り曲げ線４６と折り曲げ線５６とは、末広がりに形成されている。
第１スリット４４を構成する第１のスリット４４ａは、２条の直線状スリット４４ａ１及びスリット４４ａ２とその２条のスリット４４ａ１とスリット４４ａ２の下部を結ぶ連結スリット４４ａ３とを備え、２条の直線状スリット４４ａ１とスリット４４ａ２との上部を結ぶ折り曲げ線４６ａで内側に折り曲げられる。
第１スリット４４を構成する第３のスリット４４ｂは、２条の直線状スリット４４ｂ１及びスリット４４ｂ２とその２条のスリット４４ｂ１とスリット４４ｂ２の下部を結ぶ連結スリット４４ｂ３とを備え、２条の直線状スリット４４ｂ１とスリット４４ｂ２との上部を結ぶ折り曲げ線４６ｂで内側に折り曲げられる。
第２スリット５４を構成する第２のスリット５４ａは、２条の直線状スリット５４ａ１及びスリット５４ａ２とその２条のスリット５４ａ１とスリット５４ａ２の下部を結ぶ連結スリット５４ａ３とを備え、２条の直線状スリット５４ａ１とスリット５４ａ２との上部を結ぶ折り曲げ線５６ａで内側に折り曲げられる。
第２スリット５４を構成する第４のスリット５４ｂは、２条の直線状スリット５４ｂ１及びスリット５４ｂ２とその２条のスリット５４ｂ１とスリット５４ｂ２の下部を結ぶ連結スリット５４ｂ３とを備え、２条の直線状スリット５４ｂ１とスリット５４ｂ２との上部を結ぶ折り曲げ線５６ｂで内側に折り曲げられる。
【００３３】
第１のスリット４４ａと第２のスリット５４ａとを、折り曲げ線４６ａ及び折り曲げ線５６ａにおいて内側に向けて折り曲げ、且つ、第３のスリット４４ｂと第４のスリット５４ｂとを、折り曲げ線４６ｂ及び折り曲げ線５６ｂにおいて内側に折り曲げる。
そして、第１の係合細孔４８ａと第２の係合細孔５８ａとを係合させ、且つ、第３の係合細孔４８ｂと第４の係合細孔５８ｂとを係合させて、平面視Ｘ字形に連結させる。
而して、第１連結片４２を構成する第１のスリット４４ａと第２連結片５２を構成する第２のスリット５４ａ及び第１連結片４２を構成する第３のスリット４４ｂと第２連結片５２を構成する第４のスリット５４ｂとによって、係止片３２を形成される。
【００３４】
係止部２２は、三日月体３０を構成する板紙３８の一部をもって形成するのではなく、図１３に示すように、別の部材で構成してもよい。
図１３図示係止片３２は、平面視方形で、断面コ字形に形成されている。
そして、方形の連設部４２ｃの両端に突設された固着部４２ｆ及び固着部４２ｇを三日月体３０の内側に固着して、三日月体３０の内面に架け渡される。
図１４図示係止片３２は、平面視三日月形の上面部５２ｃと上面部５２ｃの周囲に垂設された、接着するための固着部５２ｄを、三日月体３０の内側に固着して、三日月体３０の内面に架け渡される。
【００３５】
折り曲げ線４６及び折り曲げ線５６は、下端縁３８ｂと平行に形成するのではなく、筒体２０の中心軸線２０Ｌと斜交するように傾斜させてもよい。又、折り曲げ線４６及び折り曲げ線５６の傾斜に伴い、係合細孔４８及び係合細孔５８も折り曲げ線４６と折り曲げ線５６と平行に形成して、筒体２０の中心軸線２０Ｌと斜交するように傾斜させる。
そして、第１連結片４２を折り曲げ線４６で内側に折り曲げ且つ第２連結片５２を折り曲げ線５６で内側に折り曲げて、第１連結片４２と第２連結片５２とを三日月体３０の内側において重ね合わせて、係止片３２を形成される。
而して、係止片３２は、筒体２０の中心軸線２０Ｌとは交差するように傾斜するが、足型１２の上端部１２ｃも、爪先立った状態において水平面に形成されているとき、略々水平な状態において、係止片３２は、足型１２の上端部１２ｃに係止される。
【００３６】
通常、展示用具１０は、図１８に示すように、水平に渡した展示用板状部材Ｐに固定され、そして、展示物たる靴下１６を装着した足型１２を、爪先部分１２ｅにおいて、爪先立つように固定して展示する。
特に、足型１２が爪先部分１２ｅにおいて接地した爪先立った形状であるために、筒体２０は、すね側折り目形成線３８ｅの上方が爪先部分１２ｅ側に傾いて、足型１２に固定されている。
【００３７】
靴下１６等の展示用具１０を用いた展示方法は、人の足の形を模して作った両足の足型１２の外周面に被せられた靴下１６を視認することができるように、一方の足型１２の周囲に少なくともズボン１８の裾部分１８ａを被せられる筒体２０を形成され、一方の足型１２の筒体２０のみズボン１８の裾部分１８ａで覆われている。
他方の足型１４は、筒体２０を設けられておらず、靴下１６のみが履かされている。而して、靴下１６を明確に視認することができる。
【００３８】
別の靴下１６等の展示用具１０を用いた展示方法は、人の足の形を模して作った両足の足型１２の外周面に被せられた靴下１６を視認することができるように、一方の足型１２の周囲に少なくともズボン１８の裾部分１８ａを被せられる筒部１２０を形成され、一方の足型１２の筒部１２０のみズボン１８の裾で覆われている。
他方の足型１４は、筒体２０を設けられておらず、靴下１６のみが履かされている。而して、靴下１６を明確に視認することができる。
【００３９】
また、図１８に示すように、複数の足型１２と足型１４とを並べて展示することができる。従って、例えば、靴下或いはストッキング等を装着させた足型１２及び足型１４を目線に合わせて展示し、そして、その上部に、靴下１６等と合わせたズボン１８の裾部分１８ａとを合わされた状態において展示することにより、購入者は、靴下１６及び靴等と調和したズボン１８の裾部分１８ａを実際に装着した状態を容易に自分の目で認識することができる。
【００４０】
なお、靴下１６等を装着させる脚型は周知であり、種々の材料のものが提供されているので、それを利用すればよい。
また、靴下１６等が、例えば、右足と左足の靴下１６を別々のものとなっているものである場合、靴下１６等を装着させる一方の足型１２と他方の足型１４とを別々の形状として、左右の靴下１６の調和を実際に目で確かめることにより、靴下１６等の販売の促進をすることができる。
【符号の説明】
【００４１】
１０，１１０  展示用具
１２，１４，１１２，１１４  足型
１２ａ，１４ａ，１１２ａ，１１４ａ  足首部分
１２ｂ，１４ｂ，１１２ｂ，１１４ｂ  すね部分
１２ｃ，１４ｃ，１１２ｃ，１１４ｃ  上端部
１２ｄ  ふくらはぎ部分
１２ｅ，１１２ｅ  爪先部分
１２Ｌ，１１２Ｌ  （足型の）中心軸線
１６，１１６  靴下
１８，１１８  ズボン
１８ａ，１１８ａ  裾部分
１８ｂ，１１８ｂ  上端縁
２０  筒体
２０Ｌ，１２０Ｌ  （筒体の）中心軸線
２２  係止部
３０  三日月体
３８  板紙
３８ａ  上端縁
３８ｂ  下端縁
３８ｃ  左端縁
３８ｄ  右端縁
３８ｅ  すね側折り目形成線
３８ｆ  ふくらはぎ側折り目形成線
３８ｇ，３８ｈ  のり代
３２  係止片
３４Ｌ  長軸
４０，５０  長軸面
４２  第１連結片
４２ａ  第１の舌状片
４２ｂ  第３の舌状片
４２ｃ  連設部
４２ｆ，４２ｇ，５２ｄ  固着部
４４  第１スリット
４４ａ  第１のスリット
４４ａ１，４４ａ２，４４ｂ１，４４ｂ２，５４ａ１，５４ａ２，５４ｂ１，５４ｂ２  スリット
４４ａ３，４４ｂ３，５４ａ３，５４ｂ３  連結スリット
４４ｂ  第３のスリット
４４ｄ，４４ｅ，５４ｄ，５４ｅ  上端部
４６，４６ａ，４６ｂ，５６，５６ａ，５６ｂ  折り曲げ線
４８，５８  係合細孔
４８ａ  第１の係合細孔
４８ｂ  第３の係合細孔
５２  第２連結片
５２ａ  第２の舌状片
５２ｂ  第４の舌状片
５２ｃ  上面部
５４  第２スリット
５４ａ  第２のスリット
５４ｂ  第４のスリット
５８ａ  第２の係合細孔
５８ｂ  第４の係合細孔
１２０  筒部
１２２  連設部
Ｐ  展示用板状部材
【図１】
0005827171.tif 000002
【図２】
0005827171.tif 000003
【図３】
0005827171.tif 000004
【図４】
0005827171.tif 000005
【図５】
0005827171.tif 000006
【図６】
0005827171.tif 000007
【図７】
0005827171.tif 000008
【図８】
0005827171.tif 000009
【図９Ａ】
0005827171.tif 000010
【図９Ｂ】
0005827171.tif 000011
【図１０Ａ】
0005827171.tif 000012
【図１０Ｂ】
0005827171.tif 000013
【図１１Ａ】
0005827171.tif 000014
【図１１Ｂ】
0005827171.tif 000015
【図１２Ａ】
0005827171.tif 000016
【図１２Ｂ】
0005827171.tif 000017
【図１３】
0005827171.tif 000018
【図１４】
0005827171.tif 000019
【図１５】
0005827171.tif 000020
【図１６Ａ】
0005827171.tif 000021
【図１６Ｂ】
0005827171.tif 000022
【図１７】
0005827171.tif 000023
【図１８】
0005827171.tif 000024